(57)【要約】【課題】まつげまたは眉毛に調合物を塗布し、調合物をまつげの上で伸ばし、前記まつげをばらばらにしてカールさせるためのアプリケータをさらに改良すること。【解決手段】本発明は、まつげおよび／もしくは眉毛をとかすため、ならびに／または化粧品をまつげおよび／もしくは眉毛に塗布するためのアプリケータ（１）に関し、このアプリケータ（１）は、塗布面を画定する細長い芯部（６）と、塗布面（１８）から突出する複数の歯（２８）と、塗布面（１８）から突出し、且つ長手方向軸に沿って延在する少なくとも１列の壁（２９）であって、それぞれの底部に、少なくとも１列の壁（２９）の長手方向軸を横断する主軸（Ｚ）に沿って延在する細長い形状の断面を有する、少なくとも１列の壁（２９）と、を備える成形されたアプリケータ部材（８）を備える。【選択図】図１
2018191843.tif 000002
【特許請求の範囲】
【請求項１】
まつげおよび／もしくは眉毛をとかすため、ならびに／または化粧品を前記まつげおよび／もしくは眉毛に塗布するためのアプリケータ（１）であって、
塗布面を画定する細長い芯部（６）と、
前記塗布面（１８）から突出する複数の歯（２８）と、
前記塗布面（１８）から突出し、且つ長手方向軸（Ｙ）に沿って延在する少なくとも１列の壁（２９）であって、それぞれの底部（１３）において、前記少なくとも１列の壁（２９）の前記長手方向軸（Ｙ）を横断する主軸（Ｚ）に沿って延在する細長い形状の断面を有する、少なくとも１列の壁（２９）と、
を備える、成形されたアプリケータ部材（８）を備える、アプリケータ（１）。
【請求項２】
前記塗布面（１８）が、その長さ（Ｌ）の少なくとも半分に沿って平面であり、前記歯（２８）の列および前記壁（２９）の列が、前記塗布面（１８）の長さ（Ｌ）の少なくとも半分にわたって前記芯部（６）の前記長手方向軸（Ｙ）に略平行に延在する、請求項１に記載のアプリケータ（１）。
【請求項３】
それぞれの底部（１３）における前記壁（２９）の前記断面が、１ｍｍから３ｍｍまで及ぶ、前記断面の前記主軸（Ｚ）に沿って測定される最大の寸法（ｆ）を有する、請求項１または２に記載のアプリケータ（１）。
【請求項４】
前記アプリケータ部材（８）が、前記芯部（６）の前記長手方向軸（Ｘ）に沿って交互に並ぶ歯（２８）及び壁（２９）を備える、請求項１から３のいずれか一項に記載のアプリケータ（１）。
【請求項５】
前記アプリケータ部材が、歯（２８）の１つの中央の列（２８ｃ）と、前記歯（２８）の中央の列（２８ｃ）のそれぞれの側の歯（２８）の２つの側部の列（２８ｓ）と、を備える、請求項１から４のいずれか一項に記載のアプリケータ（１）。
【請求項６】
前記アプリケータ部材が、歯の複数のセットを備え、各セットの前記歯が、前記アプリケータ部材の前記長手方向軸に沿って略同一の軸方向の位置を占める、請求項１から５のいずれか一項に記載のアプリケータ（１）。
【請求項７】
前記アプリケータ部材が、前記芯部（６）の前記長手方向軸（Ｘ）に平行な方向で測定される、略同一の軸方向の位置を占める歯（２８）の前記中央の列（２８Ｃ）および前記２つの側部の列（２８ｓ）によって形成された、歯（２８）の３つのセット（２７）を備える、請求項６に記載のアプリケータ（１）。
【請求項８】
１列の壁（２９）を備え、前記壁（２９）が、前記芯部（６）の前記長手方向軸（Ｘ）に沿って歯（２８）の前記３つのセット（２７）と交互に並ぶ、請求項７に記載のアプリケータ（１）。
【請求項９】
前記壁（２９）が、それぞれの底部において直線を成す、請求項１から８のいずれか一項に記載のアプリケータ（１）。
【請求項１０】
前記壁（２９）が、それぞれの底部において湾曲される、請求項１から８のいずれか一項に記載のアプリケータ（１）。
【請求項１１】
１列の壁（２９）を備え、前記列における２つの連続する壁（２９）が、同一の曲率を有し、塗布面（１８）の遠位端（８１）に向かってそれぞれ凹面と凸面であり、前記アプリケータ部材（８）が、
互いに向かって凸面である２つの連続する壁（２９）の間の軸方向の位置における歯（２８）の３つのセット（２７）と、
略同一の軸方向の位置を占めるそれぞれの側部の列（２８ｓ）の２つの歯（２８）によって形成される歯（２８）の２つのセット（１７）と、
を備える、請求項１０に記載のアプリケータ（１）。
【請求項１２】
歯（２８）の前記中央の列（２８ｃ）のそれぞれの側に配置された２列（２９ａ、２９ｂ）の壁（２９）を備え、
一方の列（２９ａ）の前記壁（２９）と、略同一の軸方向の位置を占める他方の列（２９ｂ）の対応する壁（２９）とが、前記芯部（６）の前記長手方向軸（Ｘ）に沿って交互に収束し、且つ逸れていく壁（２９）の対（２５，２６）を形成し、
前記収束し、それぞれ逸れていく壁（２９）の対（２５，２６）が、前記塗布面（１８）の前記遠位端（８１）に向かって収束し、それぞれ逸れており、
それぞれの底部（１３）における前記壁（２９）の前記断面の前記主軸（Ｚ）が、前記芯部の前記長手方向軸（Ｘ）と共に、好ましくは４５度から８０度の間にある角度（α）を形成し、
前記アプリケータ部材（８）の前記遠位端（８１）に向かって移動する際、収束する壁（２９）対（２５）と、それに続いて逸れていく壁（２９）の対（２６）との間の軸方向の位置における、歯（２８）の３つのセット（２７）と、
前記塗布面（１８）の前記遠位端（８１）に向かって移動する際、逸れていく壁（２９）の対（２６）と、それに続いて収束する壁（２９）の対（２５）との間の軸方向の位置における、歯（２８）の前記中央の列（２８ｃ）に属する１つの歯（２８）と、
を備える、請求項７に記載のアプリケータ（１）。
【請求項１３】
壁（２９）の前記列（２９ａ、２９ｂ）のそれぞれの側に歯（２８）の少なくとも２つの外側の列（２８ｅ）を備え、前記外側の列（２８ｅ）の前記歯（２８）が、前記アプリケータ部材（８）の長手方向の中央の面（Ｍ）と共に非ゼロの伸長角（β）を形成する伸長軸（Ｓ）に沿って前記塗布面（１８）から突出する、請求項１２に記載のアプリケータ（１）。
【請求項１４】
前記壁（２９）の頂部（９２）が湾曲され、前記歯（２８）の高さ（ｈ）および前記壁（２９）の前記頂部（９２）の湾曲形状が、前記アプリケータ部材（８）の前記長手方向軸（Ｘ）に平行な方向で見たとき、歯（２８）の３つのセット（２７）の自由端と、前記３つのセット（２７）と略同一の軸方向の位置を占める前記外側の列（２８ｅ）の前記歯（２８）と、次に続いて逸れていく壁（２９）の対（２６）の前記頂部（９２）が、同じ円弧（Ｃ）上に据えられるように構成される、請求項１３に記載のアプリケータ（１）。
【請求項１５】
歯の前記外側の列（２８ｅ）の前記歯（２８）が、それぞれの底部（１０，１３）において前記側部の列（２８ｓ）の前記歯（２８）および前記壁（２９）と接触する、請求項１４に記載のアプリケータ（１）。
【請求項１６】
前記少なくとも１列の壁（２９）の２つの連続する壁（２９）が、前記芯部（６）の前記長手方向軸（Ｘ）に沿って観察したとき、前記芯部（６）の前記長手方向軸（Ｘ）に沿って交互に配置され、少なくとも部分的に互いに重なり合い、
前記アプリケータが、歯の２つの中央の列（２８ａ、２８ｂ）を備え、前記芯部の前記長手方向軸に沿って測定された略同一の軸方向の位置を占めるそれぞれの中央の列（２８ａ、２８ｂ）の２つの歯（２８）が、歯（２８）の中央の対（２４）を形成し、歯（２８）の前記中央の対（２４）が、前記芯部（６）の前記長手方向軸（Ｘ）に沿って前記壁（２９）と交互に並び、
壁（２９）が存在する軸方向の位置において、前記アプリケータが、歯（２８）の前記側部の列（２８ｓ）の一方に属する１つの歯（２８）を備え、
前記１つの歯（２８）と、前記歯（２８）と略同一の軸方向の位置を占める対応する前記壁（２９）の重心（Ｃ）とが、前記芯部（６）の前記長手方向軸（Ｘ）のそれぞれの側に配置される、請求項１３に記載のアプリケータ（１）。
【請求項１７】
前記アプリケータ部材が、前記アプリケータ部材（８）に関する長手方向の中央の面（Ｍ）と角度（β）を形成する、それぞれの伸長軸と共に延在する少なくとも１列の歯（２８ｅ）を備える、請求項１から１２のいずれか一項に記載のアプリケータ（１）。
【請求項１８】
まつげおよび／または眉毛に化粧品を塗布するための包装およびアプリケータ器具であって、
請求項１から１７のいずれか一項に定義されるアプリケータ（１）と、
前記まつげおよび／または眉毛に塗布するための前記化粧品を含む容器（３）と、
を備える、包装およびアプリケータ器具。
【請求項１９】
請求項１から１７のいずれか一項に記載のアプリケータ（１）を用いて、まつげおよび／もしくは眉毛をとかし、ならびに／または化粧品を前記まつげおよび／もしくは眉毛に塗布するための美容方法。
【発明の詳細な説明】
【技術分野】
【０００１】
本発明は、ケラチン線維、特に、まつげおよび／もしくは眉毛などをとかすため、ならびに／またはメーキャップもしくはケア製品、例えば、マスカラなどをまつげおよび／もしくは眉毛に塗布するためのアプリケータに関する。
【０００２】
本発明は、そのようなアプリケータを備える包装器具にも関する。
【０００３】
本発明は、美容方法にさらに関する。
【背景技術】
【０００４】
ＦＲ２７９６５２８は、芯部と、芯部の対向する側に配置された複数の連続した歯と、を備えるアプリケータを開示している。
【０００５】
ＦＲ２９０９５３２は、支持構造体の長手方向軸に対して斜めに延在し、歯を含む少なくとも１つの分岐部材を有する構造体を備えるアプリケータを開示している。
【０００６】
特開２００８−１１９４５３は、コーム及びブラシがそれぞれ備わった２つの塗布面を備えるアプリケータを開示している。
【０００７】
米国特許出願公開第２００３／０２１３４９８号は、歯のグループと、隣接するグループ間の隙間と、を備えるアプリケータを開示している。このアプリケータは、隙間の中に浮き彫りになって延在する部分を備え得る。
【０００８】
米国特許第４８０１００４号は、平面の頂部面と、平面の頂部面から角度をなして延在する糸状の歯とを有する芯部を備えるアプリケータを開示している。このアプリケータは、芯部の側面および／または底面上に配置された壁をさらに備え得る。
【０００９】
ＦＲ２９６８９０６は、湾曲した頂部面を有するアプリケータを開示している。この頂部面は歯または溝を備え得る。
【００１０】
ＦＲ２９５５０１８は、支持体と、支持体から突出する複数の塗布要素と、を備えるアプリケータを開示している。複数の塗布要素は、塗布要素の根元を溶かし、塗布要素の根元を互いに接続する層を形成することによって支持体に固定される。
【先行技術文献】
【特許文献】
【００１１】
【特許文献１】ＦＲ２７９６５２８
【特許文献２】ＦＲ２９０９５３２
【特許文献３】特開２００８−１１９４５３
【特許文献４】米国特許出願公開第２００３／０２１３４９８号
【特許文献５】米国特許第４８０１００４号
【特許文献６】ＦＲ２９６８９０６
【特許文献７】ＦＲ２９５５０１８
【発明の概要】
【発明が解決しようとする課題】
【００１２】
本発明は、特に、歯がまつげの中を通り抜ける能力という点において、まつげまたは眉毛に調合物を塗布し、調合物をまつげの上で伸ばし、前記まつげをばらばらにしてカールさせるためのアプリケータをさらに改良することを目指す。
【００１３】
本発明は、アプリケータが調合物を付着させる能力を改善することも目指している。
【課題を解決するための手段】
【００１４】
本発明の一態様において、まつげおよび／もしくは眉毛をとかすため、ならびに／または化粧品をまつげおよび／もしくは眉毛に塗布するためのアプリケータが提供されており、このアプリケータは、
塗布面を画定する細長い芯部と、
塗布面から突出し、好ましくは、それぞれの底部において細長くない形状の断面を有する複数の歯と、
塗布面から突出し、長手方向軸に沿って延在する少なくとも１列の壁であって、それぞれの底部において、少なくとも１列の壁の長手方向軸を横断する主軸に沿って細長い形状の断面を有する、少なくとも１列の壁と、
を備える成形されたアプリケータ部材を備える。
【００１５】
本発明による壁が存在することによって、まつげを掴む歯の能力を保証しつつ、製品を付着させる能力を高めることを可能にする。このようにして、本発明は、より少ない回数で化粧品を塗布することを可能にする。また、まつげの表面に載せられた製品をほどよく伸ばすこともできる。
【００１６】
壁及び歯は、それぞれの底部によって芯部に接続される。
【００１７】
「壁が、それぞれの底部において、少なくとも１列の壁の長手方向軸を横断する主軸に沿って細長い形状の断面を有する」ことによって、それぞれの底部における壁の断面の主軸は、少なくとも１列の壁の長手方向軸と共に非ゼロの角度を形成する、すなわち例えば、この軸に対して斜めである、または垂直であることを理解されたい。
【００１８】
例えば、それぞれの底部における壁の断面の主軸は、アプリケータを頂部から観察したとき、少なくとも１列の壁の長手方向軸と共に１０度から８０度、好ましくは６０度から８０度、さらに好ましくは７０度から８０度、例えばおよそ７５度の角度αを形成する。それぞれの底部における壁の断面の主軸はまた、少なくとも１列の壁の長手方向軸に対して垂直、すなわちα＝９０度であり得る。
【００１９】
それぞれの底部における壁の断面の主軸と少なくとも１列の壁の長手方向軸との間の角度は、前記列の全ての壁に関して同一の値であってよい。
【００２０】
それぞれの底部における壁の断面の主軸は頂部から観察したとき、芯部の長手方向軸と共に非ゼロの角度を形成してよい。
【００２１】
例えば少なくとも１つの壁は、芯部の長手方向軸に対して垂直であるその底部の主軸を有する。
【００２２】
少なくとも１つの壁は、芯部の長手方向軸に対して斜めになったその底部における主軸を有する場合もある。
【００２３】
好ましくは、歯の少なくとも一部、およびさらに適切には歯のほとんどまたは全てが、その底部における少なくとも１つの壁の断面より小さな、より適切にはそれぞれの底部における全ての壁の断面より小さな断面をそれぞれの底部に有する。
【００２４】
それぞれの底部における壁の断面は、１ｍｍから３ｍｍまで及ぶ、断面の主軸の沿って測定される最大の寸法を有してよい。
【００２５】
それぞれの底部における歯の断面は、０．２から０．９ｍｍまで及ぶ最大寸法を有してよい。
【００２６】
それぞれの底部における歯の断面は、例えば円形、楕円形または多角形、詳細には三角形の任意の形状であってよい。
【００２７】
芯部は「長手方向軸」に沿って細長く、これは芯部の断面の重力の中心（重心）をつなげる直線として理解すべきである。一部の状況において、芯部の長手方向軸は、特に芯部が正多角形または円形の一般的な形状を有する断面を呈する場合、中心軸である、またはさらには芯部に関する対称軸である場合もある。芯部の長手方向軸は直線から成る、または湾曲される場合もある。
【００２８】
芯部は、それが接続される柄の軸に対して、例えばアプリケータの自由端に近づくにつれて大きくなる、ある角度だけ傾斜される場合がある。
【００２９】
壁の列の長手方向軸は、芯部の長手方向軸に平行であってよい。
【００３０】
好ましくは、塗布面は、その長さの少なくとも半分に沿って、さらに適切にはその長さ全てにわたって平坦である。塗布面は、その長さの少なくとも半分に沿って、さらに適切にはその長さの全てに沿って平面である。
【００３１】
これにより、まつげを強制的に壁の間により深く押し込み易くなり、これによりまつげにより多くの製品を移すことが可能になる。
【００３２】
塗布面はまた、外側に向かって凹面または凸面であってよい。
【００３３】
好ましくは、塗布面は、アプリケータの頂部および／または側部から観察したとき、その長さの少なくとも半分に沿って直線を成す中心線を備える。あるいは、塗布面の中心線は湾曲される。
【００３４】
アプリケータを頂部から観察するということは、塗布面に向いているアプリケータの観察方向として理解すべきである。
【００３５】
アプリケータを側部から観察するということは、芯部の長手方向軸に対して垂直であり、かつ塗布面に平行なアプリケータの観察方向として理解すべきである。
【００３６】
頂部から観察したとき、少なくとも１列の壁の長手方向軸は、直線を成してよい。あるいは、少なくとも１列の壁の長手方向軸は湾曲される場合もある。
【００３７】
アプリケータ部材は、塗布面に対して垂直な長手方向の中央の面に対して対称であってよい。
【００３８】
好ましくは、歯は、それぞれの伸長軸に沿った細長い形状である。歯の伸長軸は、塗布面に対して垂直であり得る。一変形形態において、歯の伸長軸は塗布面に対して斜めである。
【００３９】
アプリケータ部材は、アプリケータ部材に関する長手方向の中央の面と共にある角度を形成するそれぞれの伸長軸と共に延在する少なくとも１列の歯を備える。
【００４０】
歯の伸長軸に対して垂直に測定された歯の断面寸法は、歯の長さの大部分にわたって略一定であってよい。
【００４１】
好ましくは、壁は、例えば塗布面に対して垂直に、それぞれの高さ軸に沿って塗布面から突出する。壁の高さ軸に対して垂直に測定された壁の断面は、壁の長さの大部分にわたって略一定であってよい。
【００４２】
壁の頂部は平坦であってよく、例えばそれぞれの高さ軸に対して垂直であり、または頂点を呈してもよい。
【００４３】
壁の頂部は、好ましくはアプリケータ部材の長手方向の中央の面内に含まれる湾曲軸の周りで湾曲されてもよい。
【００４４】
アプリケータは、１列のみの壁を備える場合もあり、壁の底部は例えば塗布面上の中心に置かれる、すなわちそれぞれの底部における壁の断面の重心は、略塗布面の中心線に沿って位置が決められる。
【００４５】
一変形形態において、その列における少なくとも１つの壁の連続する壁の断面の重心は、少なくとも一部が、幾何学的な分離面の対向する側部上に交互になるように配列されてよい。列の２つの連続する壁は、芯部をその長手方向軸に沿って見たとき重なり合う、または重なり合わない場合がある。
【００４６】
別の変形形態では、アプリケータは、２列の壁を備え、この２列の長手方向軸は好ましくは平行であり、例えば芯部の長手方向軸に対して共に平行である。壁の列は、アプリケータの頂部から見たとき芯部の長手方向軸に対して対称に配列されてよい。例えば壁は、幾何学的な分離面のそれぞれの側に据えられ、好ましくは平面である前記面に対して対称である。
【００４７】
壁は、それぞれの底部において直線を成し、頂部から観察したとき、芯部の長手方向軸に対して垂直に延在してよい。
【００４８】
好ましくは、塗布面の幅は、３から７ｍｍ、より適切には４から６ｍｍの範囲内にある。
【００４９】
頂部から観察したとき、塗布面は、芯部の長手方向軸に平行して延在する２つの平行な側縁部を有してよい。塗布面の遠位端は、略直線を成す縁部を有してよい。一変形形態において、塗布面の遠位端は湾曲される。
【００５０】
少なくとも１列の壁における２つの隣接する壁はそれぞれの底部において、０．１ｍｍから０．６ｍｍまで及ぶ、例えばおよそ０．４ｍｍの最小の距離だけ離間されてよい。
【００５１】
アプリケータは、直線を成すまたは湾曲されるそれぞれの軸に沿って延在する複数の列の歯を備える場合がある。
【００５２】
歯の列は同一方向に延在してよく、例えば塗布面の長さの少なくとも半分にわたって芯部の長手方向軸に平行に延在してよい。例えば歯の列は、例えばその遠位端の近傍を除いて塗布面の長さ全体にわたって芯部の長手方向軸に平行に延在する。
【００５３】
アプリケータは、芯部の長手方向軸に沿って延在する少なくとも２列の歯を備えてよく、例えば２列から１０列の歯、より適切には２列から６列、例えば３列または４列の歯を備える場合がある。各々の列の歯は、１個から２０個の歯を含む場合がある。
【００５４】
各々の歯の列において、歯は、塗布面の長さの大部分に沿って均一に離間されてよい。
【００５５】
あるいは、１列の２つの隣接する歯の間の間隔が変化する場合もある。例えば、その間に壁が存在する２つの隣接する歯の間の間隔は、その間に壁が存在しない状態の２つの隣接する歯の間の間隔と異なる。
【００５６】
アプリケータ部材の２つの端部の各々の近傍に据えられた２つの隣接する歯の間の間隔は、アプリケータ部材の中心部分に据えられた２つの隣接する歯の間の間隔と異なる場合がある。
【００５７】
１列の歯における全ての歯は、場合によってアプリケータ部材の遠位端および近位端の近傍に据えられた歯を除いて同一の高さを有してよい。
【００５８】
１列の歯における歯の高さは、別の列の歯の高さと異なる場合がある。
【００５９】
好ましくは、歯の自由端および壁の頂部は、アプリケータ部材の長さの少なくとも一部分に沿って、弓状の断面である包絡面を画定する。
【００６０】
アプリケータ部材は、歯の少なくとも１つの中央の列と、歯の２つの側部の列とを備える場合があり、歯の側部の列は、例えば少なくとも１つの中央の列のそれぞれの側に配置される。歯の少なくとも１つの中央の列は、頂部から観察したとき、塗布面の中心に置かれてよい。
【００６１】
場合によってアプリケータ部材の遠位端および近位端の近傍に据えられた歯を除いて、中央の列の歯は同一の第１の高さを有してよく、側部の列の歯は同一の第２の高さを有してよい。第１の高さは、好ましくは、第２の高さより大きい。
【００６２】
壁の頂部は、好ましくは、壁の高さ軸に沿って測定したとき歯の自由端の間、例えば中央の列の歯の自由端と側部の列の歯の自由端との間に据えられる。
【００６３】
好ましくは、例えば塗布面の側縁部および／またはその遠位端の近傍を除いて、歯はそれぞれの底部において接触することはなく、歯及び壁もそれぞれの底部において接触することはなく、すなわちそれぞれの底部において互いから離間されている。それぞれの底部において測定した歯と壁との間の最小の距離は、０から０．９ｍｍにまで及ぶ場合がある。
【００６４】
２つの歯の間の間隔、壁の間の距離および壁と歯の間の距離を適応させることによって、歯がまつげを適切に誘導し掴む能力を失うことなく、調合物を付着させるのに適したより大きなまたはより小さなサイズの空隙を確立することが可能になる。
【００６５】
歯の複数の列の少なくとも１つの歯は、少なくとも１列の壁にある２つの隣接する壁の間にある軸方向の位置に据えられてよい。アプリケータ部材は、アプリケータ部材の長手方向軸に沿って交互に並ぶ歯と壁とを備えてよい。
【００６６】
アプリケータ部材は、歯の２つの中央の列を備えてよく、この場合芯部の長手方向軸に沿って測定された略同一の軸方向の位置を占めるそれぞれの中央の列の歯が、歯の中央の対を形成する。歯の中央の対は、芯部の長手方向軸に沿って少なくとも１列の壁の壁と交互に並んでよい。少なくとも１列の壁の２つの連続する壁は、好ましくは、少なくとも１列の壁の長手方向軸に沿って観察したとき、芯部の長手方向軸のいずれかの側に交互に配置され、少なくとも部分的に互いに重なり合う。アプリケータは、好ましくは、壁が存在する軸方向の位置において、歯の側部の列の１つに属する１つの歯を備え、前記１つの歯および対応する壁は略同一の軸方向の位置を占める。
【００６７】
アプリケータ部材は、歯の複数のセットを備えてよく、各セットの歯は、好ましくは、アプリケータ部材の長手方向軸に沿って略同一の軸方向の位置を占めており、歯の複数のセットは、好ましくは、歯の２つのセットまたは歯の３つのセットである。
【００６８】
アプリケータ部材は、芯部の長手方向軸に沿って測定される、略同一の軸方向の位置を占めるそれぞれの側部の列の歯を少なくとも備える、歯の少なくとも１つの複数のセット、例えば歯の２つのセットまたは３つのセットを備える場合がある。
【００６９】
例えば歯の複数のセット、例えば３つのセットは、歯の少なくとも１つの中央の列と２つの側部の列のそれぞれの列の歯によって形成される。
【００７０】
歯の複数のセットは、例えば塗布面の遠位端の近傍を除いて、芯部の長手方向軸に平行な方向で測定された略同一の軸方向の位置を占めることができる。
【００７１】
例えば塗布面の遠位端が湾曲形状である場合、塗布面の遠位端の近傍における歯の３つのセットの歯は、塗布面の遠位端の湾曲形状と略一致する湾曲した線に沿って配置されてよい。
【００７２】
「１つの歯と、１つの壁、それぞれ２つの歯が芯部の長手方向軸に沿って測定される、略同一の軸方向の位置を占める」ことによって、アプリケータ部材の長手方向軸に対して垂直な方向でアプリケータ部材の側部から観察したとき、歯の底部および壁の底部、２つの歯のそれぞれの底部が少なくとも部分的に重なり合うことを理解されたい。これらの底部はちょうど重なり合うことができる。
【００７３】
歯の複数のセット、例えば３つのセットにおける２つの隣接する歯の間の距離は等しくてよい。
【００７４】
少なくとも１列の壁の壁は、芯部の長手方向軸に沿って上記に定義したように歯の複数のセットと交互に並ぶことができる。
【００７５】
一変形形態において、アプリケータ部材は歯の中央の列を備え、少なくとも１列の壁の壁は、芯部の長手方向軸に沿って略同一の軸方向の位置を占める歯の中央の列と２つの側部の列のそれぞれの列の歯によって形成された歯の３つのセットと交互に並ぶ。
【００７６】
少なくとも１列の壁の壁は、それぞれの底部において湾曲されてよく、その列にある２つの隣接する壁は、好ましくは、同一の曲率を有し、塗布面の遠位端に向かってそれぞれ凹面および凸面である。アプリケータは、中央の列の歯と、
−  互いに向かって凸面である２つの隣接する壁の間の軸方向の位置において、略同一の軸方向の位置を占める歯の中央の列および２つの側部の列の各々の列の歯によって形成される歯の３つのセットと、
−  互いに向かって凹面である２つの隣接する壁の間の軸方向の位置において、略同一の軸方向の位置を占めるそれぞれの側部の列の２つの歯によって形成される歯の２つのセットとを備える場合がある。
【００７７】
少なくとも１列の壁の壁は、芯部の長手方向軸に沿って観察したとき、歯の側部の列の間に据えられてよい。
【００７８】
別の変形形態において、アプリケータは、歯の中央の列のそれぞれの側に配置された２つの列の壁を備え、これらの壁はそれぞれの底部において直線を成しており、略同一の軸方向の位置を占める一方の列の壁および対応する他方の列の壁は、芯部の長手方向軸に沿って交互に収束し、逸れていく壁の対を形成し、この収束し、それぞれ逸れていく壁の対は、塗布面の遠位端に向かって収束し、それぞれ逸れており、壁の底部部分は、芯部の長手方向軸と共に、好ましくは１０度から８０度まで及ぶある角度を形成し、アプリケータは、
−  塗布面の遠位端に向かって移動する際、収束する壁の対と、それに続いて逸れていく壁の対との間の軸方向の位置における上記に定義される歯の３つのセットと、
−  塗布面の遠位端に向かって移動する際、逸れていく壁の対と、それに続いて収束する壁の対との間の軸方向の位置における歯の中央の列に属する１つの歯とを備える。
【００７９】
収束する壁の対およびこれに続いて逸れていく壁は、塗布面の遠位端に向かって移動する際、略Ｘパターンを形成してよい。
【００８０】
さらに別の変形形態では、アプリケータは、歯の中央の列と、歯の中央の列のそれぞれの側に配置された２列の壁とを備え、これらの壁はそれぞれの底部において直線を成し、この場合略同一の軸方向の位置を占める一方の列の壁と対応する他方の列の壁は、芯部の長手方向軸に沿って交互に収束し逸れていく壁の対を形成し、収束し、それぞれ逸れていく壁の対は、塗布面の遠位端に向かって収束し、それぞれ逸れており、壁の底部部分は、芯部の長手方向軸と共に、１０度から８０度まで及ぶある角度を形成し、アプリケータは、
−  塗布面の遠位端に向かって移動する際、収束する壁の対と、それに続いて逸れていく壁の対との間の軸方向の位置における、略同一の軸方向の位置を占める歯の中央の列と２つの側部の列のそれぞれの列の歯によって形成される歯の３つのセットと、
−  塗布面の遠位端に向かって移動する際、逸れていく壁の対と、それに続いて収束する壁の対との間の軸方向の位置における歯の中央の列に属する１つの歯と、
−  壁の列のそれぞれの側における歯の少なくとも２つの外側の列であって、これら歯の外側の列の歯が、塗布面に対して垂直な方向を有する非ゼロの伸長角を形成する伸長軸に沿って塗布面から突出する、歯の少なくとも２つの外側の列とを備える。
【００８１】
外側の列の歯の伸長角は、好ましくは２５度から３５度、例えばおよそ３０度である。
【００８２】
各々の歯の外側の列は、塗布面のそれぞれの長手方向の縁部に沿って延在してよく、これは例えばアプリケータ部材の長手方向軸に平行である。
【００８３】
好ましくは歯の中央の列および側部の列ならびに壁は、芯部の長手方向軸に沿って観察したとき、歯の外側の列の間に配列される。
【００８４】
歯の外側の列の歯は、側部の列の歯および壁の外側の長手方向の端部と略同一の軸方向の位置を占め得る。
【００８５】
「外側の長手方向の端部」とは、歯の中央の列からさらに離れて据えられた壁の２つの長手方向の端部の１つであると理解されたい。
【００８６】
歯の外側の列の歯は、それぞれの底部において側部の列の歯および壁に接触する場合がある。
【００８７】
少なくとも１つの歯は先細にされる、円錐台形状またはピラミッド形状であってよい。
【００８８】
この列の一方の少なくとも１つの歯は、別の列の歯と異なる形状を呈する場合もある。
【００８９】
アプリケータは、柄を備えてよく、アプリケータ部材は柄に固定されており、例えば柄に対してオーバーモールドされ、または機械的な取り付けによって柄に固定される。
【００９０】
芯部は、長手方向軸に沿って、詳細にはアプリケータ部材の長さの少なくともごく一部にわたって略一定の断面を提示してよい。
【００９１】
その長さの少なくともごく一部にわたって、芯部は、円形、非円形、半円、楕円形、半楕円形、多角形、三角形、正方形、矩形、五角形、六角形、八角形および半多角形から選択された形状の断面を呈することができる。断面の形状は、芯部の長手方向軸に沿って変化する場合がある。
【００９２】
芯部の断面は、アプリケータ部材の長さのごく一部にわたって平坦であってよい。断面の長手方向軸は、塗布面に平行であってよい。
【００９３】
別のその態様において、本発明は、まつげおよび／または眉毛に化粧品を塗布するための包装およびアプリケータ器具を提供し、この器具は、上記に定義したアプリケータと、まつげおよび／または眉毛に塗布するための化粧品を含む容器とを備える。
【００９４】
容器は、アプリケータ部材を拭き取るためのワイパー部材を備えてよい。
【００９５】
化粧品は、例えばマスカラである。メーキャップがまつげに施されることが可能であり、まつげをとかすことができる。
【００９６】
別の態様によると、本発明は、本発明によるアプリケータによってまつげおよび／もしくは眉毛をとかす、ならびに／または化粧品をまつげおよび／もしくは眉毛に塗布するための美容方法を提供する。
【００９７】
歯および壁は、同じ材料から作製されてもよく、または、一変形形態では、それらは異なる材料から作製されてもよい。
【００９８】
歯および／または壁は、熱可塑性材料を成形する、例えばそれを担持している芯部の一部に使用されるのと同一の材料を成形することによって作製され得る。歯および／または壁は、芯部と異なる材料で作製することができる。
【００９９】
アプリケータ部材は、１つの材料において成形されることが可能であり、したがって、芯部および柄は同一材料を利用して作製され、または、一変形形態では、異なる材料を利用して、特に、異なる色の材料を利用して作製され、これにより、ユーザによってそのように望まれる場合、塗布面を識別し易くすることができる。材料は、異なる硬さを呈してもよい。例えば、２つの材料は共に、例えば商標Ｈｙｔｒｅｌ（登録商標）に属するポリエステル熱可塑性エラストマー、または商標Ｐｅｂａｘ（登録商標）に属するポリエーテルブロックアミドであってよい。アプリケータが２つの材料を利用して作製される場合、これらの材料は、異なる、特に、硬さの点で異なる機械的な特性を呈してもよく、例えば、一方の材料は他方より柔軟であり、または材料が異なる色であってもよい。
【０１００】
本発明は、添付の図面を参照して、その実装の非制限的な例の以下の記載を読むことで、より良く理解されるであろう。
【図面の簡単な説明】
【０１０１】
【図１】本発明によるアプリケータ部材の斜視図である。
【図２】図１のアプリケータ部材の側面図である。
【図３】本発明による包装および塗布器具の一例を示す図である。
【図５Ａ】本発明によるアプリケータ部材の実施形態を概略的に示す上面図である。
【図５Ｂ】図５Ａのアプリケータ部材の拡大部分図である。
【図６Ａ】本発明によるアプリケータ部材の実施形態を概略的に示す上面図である。
【図６Ｂ】図６Ａのアプリケータ部材の拡大部分図である。
【図７Ａ】本発明によるアプリケータ部材の実施形態を概略的に示す上面図である。
【図７Ｂ】図７Ａのアプリケータ部材の拡大部分図である。
【図８Ａ】本発明によるアプリケータ部材の実施形態を概略的に示す上面図である。
【図８Ｂ】図８Ａのアプリケータ部材の拡大部分図である。
【図９】本発明によるアプリケータ部材のさらなる実施形態の上面部分図である。
【図１０】矢印Ｘに沿った、図９のアプリケータ部材の側面図である。
【図１１】図９のアプリケータ部材の、図９の面ＸＩ−ＸＩに沿って切り取った断面図である。
【図１２】図９の矢印ＸＩＩに沿った、図９のアプリケータ部材の図である。
【図１３】図９のアプリケータ部材の斜視図である。
【発明を実施するための形態】
【０１０２】
図１は、本発明に従って作製されたアプリケータ１を示しており、アプリケータ１は、柄３にオーバーモールドされた、またはそれ以外の方法で固定されたアプリケータ部材８を備える。
【０１０３】
アプリケータ１は、図３に示されるように、まつげおよび／または眉毛に塗布するための化粧品を含む容器５の中に収容されるように構成される。
【０１０４】
アプリケータは、柄３の遠位端に接続されたハンドル４１を備える。アプリケータ１は、気密式に容器５を閉じるように構成される。
【０１０５】
アプリケータ部材８は、長手方向軸Ｘに沿った細長い芯部６を備え、この長手方向軸Ｘは、図示される実施形態では直線である。
【０１０６】
アプリケータ部材８は、塗布面１８を備え、これは図示される実施形態では、その長さＬの大半にわたって平面である。塗布面１８は、芯部の長手方向軸Ｘに平行な２つの側縁部９を備える。
【０１０７】
アプリケータ部材８は、歯２８の少なくとも１つの中央の列２８ｃと、歯２８の２つの側部の列２８ｓとを備える。歯２８の列２８ｃ、２８ｓは、芯部６の長手方向軸Ｘに平行な方向に延在する。
【０１０８】
アプリケータ部材は、壁２９の２つの列２９ａ、２９ｂを備える。これらの列２９ａおよび２９ｂは、図示される実施形態では直線を成し長手方向軸Ｘに平行である長手方向Ｙに沿って延在する。
【０１０９】
壁２９は、それぞれの底部１３によって塗布面１８に接続される。各々の壁２９の底部１３は、対応する主軸Ｚに沿って細長い断面を有する。この軸Ｚは、芯部６の長手方向軸Ｘと非ゼロの角度を形成する。
【０１１０】
図２に示されるように、壁２９は、それぞれの高さ軸Ｑに沿って塗布面１８から突出しており、各々の軸Ｑは、塗布面１８に対して局所的に垂直である。
【０１１１】
歯２８は各々、これによってそれらが塗布面１８に接続される底部１０から自由端１１までそれぞれの伸長軸Ｓに沿って延在する。同じ列の歯２８は、示されるように、塗布面１８の長さＬの大半にわたって同一の高さｈを有することができる。
【０１１２】
図５Ａから図８Ａによる実施形態では、塗布面１８は、その長さＬの大半にわたって平面である。
【０１１３】
図５Ａおよび図５Ｂによる実施形態では、アプリケータ部材８は、芯部６の長手方向軸Ｘに平行な長手方向軸Ｙに沿って延在する１列の壁２９を備える。
【０１１４】
２つの連続する壁２９の重心Ｃは、芯部６の長手方向軸Ｘの各々の側に配され、壁２９の２つのサブ列２９ａ、２９ｂを形成する。この列における２つの連続する壁は、芯部の長手方向軸Ｘに沿って観察したとき、好ましくは０．５から２ｍｍまで及ぶ、ある距離ｍだけ互いと部分的に重なり合う。
【０１１５】
図５Ａおよび図５Ｂに図示される実施形態は、示されるように各々が芯部６の長手方向軸Ｘに平行に延在し、好ましくは同じ数の歯２８を有する歯の２つの中央の列２８ａ、２８ｂを備える。芯部６の長手方向軸Ｘに沿って略同一の軸方向の位置を占める一方の列２８ａの歯２８と、他方の列２８ｂの対応する歯２８が、歯２８の中央の対２４を形成する。各々の列２８ａ、２８ｂにおける歯２８は、示されるように好ましくは均一に離間される。
【０１１６】
好ましくは、歯２８の各々の列２８ａ、２８ｂは、壁２９の対応するサブ列２９ａ、２９ｂに対して中心に配置される。
【０１１７】
壁２９は、芯部の長手方向軸Ｘに沿って歯２８の中央の対２４と交互に並ぶ。
【０１１８】
壁２９が存在する軸方向の位置において、アプリケータ部材８は、歯２８の側部の列２８ｓの一方に属する１つの歯２８を備える。前記歯２８およびその底部における前記壁２９の断面の重心Ｃは、芯部６の長手方向軸Ｘの対向する側に位置が決められる。
【０１１９】
好ましくは壁２９は、隣接する歯の中央の対から均等に離れており、壁と隣接する中央の対との間の距離ｌは、芯部６の長手方向軸Ｘに沿って一定である。
【０１２０】
壁２９の主軸Ｚは、図５Ａおよび図６Ａの実施形態に示されるように、頂部から観察したとき、直線を成し芯部６の長手方向軸Ｘに対して垂直に延在してよい。
【０１２１】
好ましくは、壁２９は、塗布面１８の長さＬの大半にわたって均一に離間される。２つの連続する壁２９の間の距離ｄは、０．１から１ｍｍまで及ぶ可能性がある。
【０１２２】
アプリケータ部材は、塗布面１８の遠位端８１の近傍に、それぞれの側部の列２８ｓの２つの歯と、側部の列の前記歯に対して中央に配置された１つの歯によって形成された歯の３つのセットを備える。前記３つのセットの歯は、図５Ａの示される実施形態において略同一の軸方向の位置を占める。
【０１２３】
図６Ａから図８Ａに示される実施形態では、アプリケータ部材は、歯の中央の列２８ｃと、歯２８の中央の列２８ｃのそれぞれの側に配列された歯２８の２つの側部の列２８ｓとを備える。
【０１２４】
歯２８は、示されるように塗布面１８の長さＬの大半にわたって歯２８の各々の列２８ｓ、２８ｃにおいて均一に離間されてよい。
【０１２５】
略同一の軸方向の位置を占める中央の列２８ｃの歯２８と、側部の列２８ｓの対応する歯によって各々形成される歯２８の３つのセット２７が芯部６の長手方向軸Ｘに沿って配置される。そのような歯２８の３つのセット２７における２つの隣接する歯２８の間の距離ｅは、示されるように好ましくは均等である。
【０１２６】
壁２９は、図６Ａおよび図６Ｂに示されるように、芯部の長手方向軸Ｘに沿って歯２８の３つのセット２７と交互に並べられてよい。好ましくは壁２９は、歯の隣接する３つのセットから均等に離れており、壁と隣接する３つのセットとの間の距離ｒは、塗布面１８の長さＬの大半に沿って一定のままである。
【０１２７】
好ましくは、歯２８の３つのセット２７は、芯部６の長手方向軸Ｘに沿って均等に離間される。
【０１２８】
図７Ａおよび図７Ｂに示される実施形態において、アプリケータ部材は、歯２８の中央の列２８ｃの各々の側に配置された壁２９の２つの列２９ａ、２９ｂを備える。
【０１２９】
各々の壁２９の主軸Ｚは、直線を成し、芯部６の長手方向軸Ｘに対して非ゼロの角度αで延在する。角度αは好ましくは４５度から８０度まで及ぶ。
【０１３０】
芯部６の長手方向軸Ｘに沿って、略同一の軸方向の位置を占める一方の列２９ａの壁２９および他方の列２９ｂの対応する壁２９は、交互に収束し逸れていく壁２９の対２５、２６を形成する。
【０１３１】
図７Ａおよび図７Ｂに見ることができるように、収束し各々逸れていく壁２９の対２５、２６は、塗布面１８の遠位端８１に向かって収束し、各々逸れている。
【０１３２】
歯２８の３つのセット２７は、塗布面１８の遠位端８１に向かって移動する際、収束する壁２９の対２５と、次に続いて逸れていく壁２９の対２６との間の軸方向の位置に配置される。
【０１３３】
逸れていく壁２９の対２６と、次に続いて収束する壁２９の対２５の間の軸方向の位置において、塗布面１８の遠位端８１に向かって進むとき、アプリケータ部材８は、歯２８の中央の列２８ｃに属する１つの歯２８を備える。
【０１３４】
好ましくは収束し、次に続いて逸れていく壁２９の対２５、２６は、塗布面１８に対して垂直な分離面に対して対称である。この分離面は、歯２８の中央の列２８ｃの歯を含むことができる。
【０１３５】
収束し次に続いて逸れていく壁２９の対２５、２６は、塗布面１８の遠位端８１に向かって移動する際、示されるように略Ｘのパターンを形成することができる。
【０１３６】
アプリケータ部材８は、図６Ａから図８Ａに見ることができるように、塗布面１８に対して垂直な長手方向の中央の面Ｍに対して対称であってよい。
【０１３７】
図８Ａおよび図８Ｂに示される実施形態において、各々の壁２９の主軸Ｚは湾曲される。
【０１３８】
この列における２つの連続する壁２９は、同一の曲率半径ｒを有し、塗布面１８の遠位端８１に向かってそれぞれ凹面と凸面である。
【０１３９】
アプリケータ部材８は、互いに向かって凸面である２つの隣接する壁２９の間の軸方向の位置に歯２８の３つのセット２７を備える。
【０１４０】
互いに対して凹面である２つの隣接する壁の間の軸方向の位置において、アプリケータ部材８は、略同一の軸方向の位置を占めるそれぞれの側部の列２８ｓの２つの歯２８によって形成される歯２８の２つのセット１７を備える。
【０１４１】
芯部の長手方向軸に沿って測定される互いに向かって凸面の２つの連続する壁２９の底部の間の距離ａは一定であってよい。
【０１４２】
芯部の長手方向軸に沿って測定される互いに向かって凹面の２つの連続する壁２９の底部の間の距離ｂは一定であってよい。
【０１４３】
壁２９のそれぞれの長手方向の端部４９の間の直線距離ｆは、好ましくは１から３ｍｍまでに及ぶ。
【０１４４】
図９から図１２に示される実施形態では、アプリケータ部材８は、歯２８の中央の列２８ｃのそれぞれの側に配置された壁２９の２つの列２９ａ、２９ｂを備える。
【０１４５】
各々の壁２９の主軸Ｚは、直線を成し非ゼロの角度αで延在し、この角度は例えば、図示される実施形態では芯部６の長手方向軸Ｘに対しておよそ７５度である。
【０１４６】
芯部６の長手方向軸Ｘに沿って、略同一の軸方向の位置を占める一方の列２９ａの壁２９と他方の列２９ｂの対応する壁２９は、交互に収束し逸れていく壁２９の対２５、２６を形成する。
【０１４７】
図７Ａの実施形態でのように、歯２８の３つのセット２７は、塗布面１８の遠位端８１に向かって移動する際、収束する壁２９の対２５と、次に続いて逸れていく壁２９の対２６との間の軸方向の位置に配置される。
【０１４８】
逸れていく壁２９の対２６と次に続いて収束する壁２９の対２５の間の軸方向の位置において、塗布面１８の遠位端８１に向かって移動する際、アプリケータ部材８は、歯２８の中央の列２８ｃに属する１つの歯２８を備える。
【０１４９】
３つのセット２７の歯２８は、塗布面１８の遠位端８１の近傍を除いて芯部６の長手方向軸Ｘに沿って略同一の軸方向の位置を占める。
【０１５０】
図９に示されるように塗布面１８の遠位端８１の近傍において、アプリケータ部材８は、塗布面１８の遠位端８１の湾曲部を実質的にたどる湾曲した線に沿って配置された２つの３つのセット２７を備える。一方の３つのセット２７の歯２８と他方の３つのセット２７の対応する歯２８は、それぞれの底部１０において接触している。
【０１５１】
アプリケータ部材はさらに、アプリケータ部材の側縁部９に沿って延在する歯２８の２つの外側の列２８ｅを備える。歯２８の側部の列２８ｓと壁２９は、外側の列２８ｅの間に配列される。外側の列２８ｅの歯２８は、側部の列２８ｓの歯２８および壁２９の外側の長手方向の端部４９と同じ軸方向の位置に据えられ、それぞれの底部１０、１３において壁の外側の長手方向の端部に接触している。
【０１５２】
図１０に見ることができるように、塗布面１８は、その長さＬの大半にわたって平面であってよい。
【０１５３】
中央の列２８ｃおよび側部の列２８ｓの歯２８は、塗布面１８の遠位端８１の近傍にある端部の歯２８を除いて、塗布面１８に対して垂直なそれぞれの伸長軸Ｓに沿って細長い。
【０１５４】
塗布面１８の遠位端８１に最も近い３つのセット２７の端部の歯２８は、アプリケータ部材８の長手方向の中央の面Ｍと共に非ゼロの伸長角γを各々形成するそれぞれの伸長軸Ｓに沿って、塗布面１８の近位端から外向きに離れるように延出し、この場合中央の列に属する歯は中央の面Ｍ内に含まれ、側部の列の歯は中央の面Ｍから離れるように延出する。
【０１５５】
外側の列２８ｅの歯２８もまた図１１に示されるように、アプリケータ部材８の中央の面Ｍと共に非ゼロの伸長角βを各々形成するそれぞれの伸長軸Ｓに沿って塗布面１８から突出しており、図示される実施形態ではβはおよそ３０度であり、例えばγと等しい。外側の列２８ｅの歯２８は、アプリケータ部材８の長手方向の中央の面Ｍから離れるように延出する。
【０１５６】
各々の外側の列の歯の伸長軸Ｓは平行であってよい。好ましくは同一の軸方向の位置を占めるそれぞれの外側の列の歯の軸は、同一面内に含まれる。同一の軸方向の位置を占める３つのセット２７の歯の軸および側部の列２８ｓの歯の軸は、同一面内に含まれる。
【０１５７】
図１１に示されるように歯の高さｈおよび壁の頂部９２の湾曲した形状は、アプリケータ部材８の長手方向軸Ｘに平行な方向で見たとき、歯の３つのセットの自由端と、３つのセットと略に同一の軸方向の位置を占める外側の列の歯と、次に続いて逸れていく壁２９の対２６の頂部９２が同じ円弧Ｃ上に略据えられるように選択され得る。この円弧は５から７ｍｍの間、好ましくは５．５から６ｍｍまで及ぶ曲率半径Ｒを有する可能性がある。
【０１５８】
塗布面１８の幅Ｗは、５から７ｍｍまで及び、例えばおよそ６ｍｍの可能性がある。
【０１５９】
アプリケータ部材を柄３に固定するために、アプリケータ部材８は、図１２および図１３に見ることができるようなＴ字型の固定部品８４を備える場合があり、これはアプリケータの柄３の中の対応する溝８６に差し入れられるように構成される。部品８４は、アプリケータ部材８の全長Ｔより短い長さＵに略延在する。アプリケータ部材８の全長は、例えば図５に示されるように、柄３に設けられた対応するくぼみ９２に係合するレール９１を備える。これにより、アプリケータ部材８と柄３が異なる色の材料で作製された場合、ユーザがアプリケータ部材８の向きを決めるのに役立つ場合がある。これはまた、アプリケータ部材を柄に固定するのを助けることもできる。
【０１６０】
本発明は、例示の実施形態に限定されるものではない。
【０１６１】
例えば壁および歯は、例示の実施形態とは異なるように配列される場合もある。
【０１６２】
壁および歯の寸法は修正される場合もある。
【０１６３】
歯の複数のセットは、３つを超える歯を備える、例えばそれぞれの側部の列に属する２つの歯と、少なくとも１つの中央の列に属する２つの歯とによって形成される４つの歯を備える場合もある。
【符号の説明】
【０１６４】
１  アプリケータ
３  柄
５  容器
６  芯部
８  アプリケータ部材
９  側縁部
１０  歯の底部
１１  歯の自由端
１３  壁の底部
１７  歯の２つのセット
１８  塗布面
２４  歯の中央の対
２５、２６  収束し逸れていく壁の対
２７  歯の３つのセット
２８  歯
２８ａ、２８ｂ  歯の２つの中央の列
２８ｃ  歯の中央の列
２８ｅ  歯の外側の列
２８ｓ  歯の側部の列
２９  壁
２９ａ、２９ｂ  壁の列
８１  塗布面の遠位端
８４  固定部品
８６  溝
９１  レール
９２  くぼみ
ａ  互いに対して凸面の２つの連続する壁の底部の間の距離
ｂ  互いに対して凹面の２つの連続する壁の底部の間の距離
ｄ  ２つの連続する壁の間の距離
ｅ  ３つのセットにおける隣接する歯の間の距離
ｆ  壁のそれぞれの長手方向の端部の間の直線距離
ｈ  歯の高さ
ｌ  壁と隣接する中央の対の間の距離
ｍ  壁が重なり合う距離
ｒ  壁と隣接する３つのセットの間の距離
Ｃ  壁の重心、円弧
Ｌ  塗布面の長さ
Ｍ  長手方向の中央の面
Ｑ  壁の高さ軸
Ｒ  曲率半径
Ｓ  伸長軸
Ｔ  アプリケータ部材の長さ
Ｕ  部品の延在する長さ
Ｗ  塗布面の幅
Ｘ  長手方向軸
Ｙ  長手方向
Ｚ  壁の主軸
α  壁の主軸の角度
β  伸長角
γ  伸長角
【図１】
2018191843.tif 000003
【図２】
2018191843.tif 000004
【図３】
2018191843.tif 000005
【図５Ａ】
2018191843.tif 000006
【図５Ｂ】
2018191843.tif 000007
【図６Ａ】
2018191843.tif 000008
【図６Ｂ】
2018191843.tif 000009
【図７Ａ】
2018191843.tif 000010
【図７Ｂ】
2018191843.tif 000011
【図８Ａ】
2018191843.tif 000012
【図８Ｂ】
2018191843.tif 000013
【図９】
2018191843.tif 000014
【図１０】
2018191843.tif 000015
【図１１】
2018191843.tif 000016
【図１２】
2018191843.tif 000017
【図１３】
2018191843.tif 000018
【手続補正書】
【提出日】平成29年8月30日(2017.8.30)
【手続補正１】
【補正対象書類名】図面
【補正対象項目名】全図
【補正方法】変更
【補正の内容】
【図１】
2018191843.tif 000019
【図２】
2018191843.tif 000020
【図３】
2018191843.tif 000021
【図４Ａ】
2018191843.tif 000022
【図４Ｂ】
2018191843.tif 000023
【図５Ａ】
2018191843.tif 000024
【図５Ｂ】
2018191843.tif 000025
【図６Ａ】
2018191843.tif 000026
【図６Ｂ】
2018191843.tif 000027
【図７Ａ】
2018191843.tif 000028
【図７Ｂ】
2018191843.tif 000029
【図８】
2018191843.tif 000030
【図９】
2018191843.tif 000031
【図１０】
2018191843.tif 000032
【図１１】
2018191843.tif 000033
【図１２】
2018191843.tif 000034
【手続補正２】
【補正対象書類名】明細書
【補正対象項目名】全文
【補正方法】変更
【補正の内容】
【発明の詳細な説明】
【技術分野】
【０００１】
本発明は、ケラチン線維、特に、まつげおよび／もしくは眉毛などをとかすため、ならびに／またはメーキャップもしくはケア製品、例えば、マスカラなどをまつげおよび／もしくは眉毛に塗布するためのアプリケータに関する。
【０００２】
本発明は、そのようなアプリケータを備える包装器具にも関する。
【０００３】
本発明は、美容方法にさらに関する。
【背景技術】
【０００４】
ＦＲ２７９６５２８は、芯部と、芯部の対向する側に配置された複数の連続した歯と、を備えるアプリケータを開示している。
【０００５】
ＦＲ２９０９５３２は、支持構造体の長手方向軸に対して斜めに延在し、歯を含む少なくとも１つの分岐部材を有する構造体を備えるアプリケータを開示している。
【０００６】
特開２００８−１１９４５３は、コーム及びブラシがそれぞれ備わった２つの塗布面を備えるアプリケータを開示している。
【０００７】
米国特許出願公開第２００３／０２１３４９８号は、歯のグループと、隣接するグループ間の隙間と、を備えるアプリケータを開示している。このアプリケータは、隙間の中に浮き彫りになって延在する部分を備え得る。
【０００８】
米国特許第４８０１００４号は、平面の頂部面と、平面の頂部面から角度をなして延在する糸状の歯とを有する芯部を備えるアプリケータを開示している。このアプリケータは、芯部の側面および／または底面上に配置された壁をさらに備え得る。
【０００９】
ＦＲ２９６８９０６は、湾曲した頂部面を有するアプリケータを開示している。この頂部面は歯または溝を備え得る。
【００１０】
ＦＲ２９５５０１８は、支持体と、支持体から突出する複数の塗布要素と、を備えるアプリケータを開示している。複数の塗布要素は、塗布要素の根元を溶かし、塗布要素の根元を互いに接続する層を形成することによって支持体に固定される。
【先行技術文献】
【特許文献】
【００１１】
【特許文献１】ＦＲ２７９６５２８
【特許文献２】ＦＲ２９０９５３２
【特許文献３】特開２００８−１１９４５３
【特許文献４】米国特許出願公開第２００３／０２１３４９８号
【特許文献５】米国特許第４８０１００４号
【特許文献６】ＦＲ２９６８９０６
【特許文献７】ＦＲ２９５５０１８
【発明の概要】
【発明が解決しようとする課題】
【００１２】
本発明は、特に、歯がまつげの中を通り抜ける能力という点において、まつげまたは眉毛に調合物を塗布し、調合物をまつげの上で伸ばし、前記まつげをばらばらにしてカールさせるためのアプリケータをさらに改良することを目指す。
【００１３】
本発明は、アプリケータが調合物を付着させる能力を改善することも目指している。
【課題を解決するための手段】
【００１４】
本発明の一態様において、まつげおよび／もしくは眉毛をとかすため、ならびに／または化粧品をまつげおよび／もしくは眉毛に塗布するためのアプリケータが提供されており、このアプリケータは、
塗布面を画定する細長い芯部と、
塗布面から突出し、好ましくは、それぞれの底部において細長くない形状の断面を有する複数の歯と、
塗布面から突出し、長手方向軸に沿って延在する少なくとも１列の壁であって、それぞれの底部において、少なくとも１列の壁の長手方向軸を横断する主軸に沿って細長い形状の断面を有する、少なくとも１列の壁と、
を備える成形されたアプリケータ部材を備える。
【００１５】
本発明による壁が存在することによって、まつげを掴む歯の能力を保証しつつ、製品を付着させる能力を高めることを可能にする。このようにして、本発明は、より少ない回数で化粧品を塗布することを可能にする。また、まつげの表面に載せられた製品をほどよく伸ばすこともできる。
【００１６】
壁及び歯は、それぞれの底部によって芯部に接続される。
【００１７】
「壁が、それぞれの底部において、少なくとも１列の壁の長手方向軸を横断する主軸に沿って細長い形状の断面を有する」ことによって、それぞれの底部における壁の断面の主軸は、少なくとも１列の壁の長手方向軸と共に非ゼロの角度を形成する、すなわち例えば、この軸に対して斜めである、または垂直であることを理解されたい。
【００１８】
例えば、それぞれの底部における壁の断面の主軸は、アプリケータを頂部から観察したとき、少なくとも１列の壁の長手方向軸と共に１０度から８０度、好ましくは６０度から８０度、さらに好ましくは７０度から８０度、例えばおよそ７５度の角度αを形成する。それぞれの底部における壁の断面の主軸はまた、少なくとも１列の壁の長手方向軸に対して垂直、すなわちα＝９０度であり得る。
【００１９】
それぞれの底部における壁の断面の主軸と少なくとも１列の壁の長手方向軸との間の角度は、前記列の全ての壁に関して同一の値であってよい。
【００２０】
それぞれの底部における壁の断面の主軸は頂部から観察したとき、芯部の長手方向軸と共に非ゼロの角度を形成してよい。
【００２１】
例えば少なくとも１つの壁は、芯部の長手方向軸に対して垂直であるその底部の主軸を有する。
【００２２】
少なくとも１つの壁は、芯部の長手方向軸に対して斜めになったその底部における主軸を有する場合もある。
【００２３】
好ましくは、歯の少なくとも一部、およびさらに適切には歯のほとんどまたは全てが、その底部における少なくとも１つの壁の断面より小さな、より適切にはそれぞれの底部における全ての壁の断面より小さな断面をそれぞれの底部に有する。
【００２４】
それぞれの底部における壁の断面は、１ｍｍから３ｍｍまで及ぶ、断面の主軸の沿って測定される最大の寸法を有してよい。
【００２５】
それぞれの底部における歯の断面は、０．２から０．９ｍｍまで及ぶ最大寸法を有してよい。
【００２６】
それぞれの底部における歯の断面は、例えば円形、楕円形または多角形、詳細には三角形の任意の形状であってよい。
【００２７】
芯部は「長手方向軸」に沿って細長く、これは芯部の断面の重力の中心（重心）をつなげる直線として理解すべきである。一部の状況において、芯部の長手方向軸は、特に芯部が正多角形または円形の一般的な形状を有する断面を呈する場合、中心軸である、またはさらには芯部に関する対称軸である場合もある。芯部の長手方向軸は直線から成る、または湾曲される場合もある。
【００２８】
芯部は、それが接続される柄の軸に対して、例えばアプリケータの自由端に近づくにつれて大きくなる、ある角度だけ傾斜される場合がある。
【００２９】
壁の列の長手方向軸は、芯部の長手方向軸に平行であってよい。
【００３０】
好ましくは、塗布面は、その長さの少なくとも半分に沿って、さらに適切にはその長さ全てにわたって平坦である。塗布面は、その長さの少なくとも半分に沿って、さらに適切にはその長さの全てに沿って平面である。
【００３１】
これにより、まつげを強制的に壁の間により深く押し込み易くなり、これによりまつげにより多くの製品を移すことが可能になる。
【００３２】
塗布面はまた、外側に向かって凹面または凸面であってよい。
【００３３】
好ましくは、塗布面は、アプリケータの頂部および／または側部から観察したとき、その長さの少なくとも半分に沿って直線を成す中心線を備える。あるいは、塗布面の中心線は湾曲される。
【００３４】
アプリケータを頂部から観察するということは、塗布面に向いているアプリケータの観察方向として理解すべきである。
【００３５】
アプリケータを側部から観察するということは、芯部の長手方向軸に対して垂直であり、かつ塗布面に平行なアプリケータの観察方向として理解すべきである。
【００３６】
頂部から観察したとき、少なくとも１列の壁の長手方向軸は、直線を成してよい。あるいは、少なくとも１列の壁の長手方向軸は湾曲される場合もある。
【００３７】
アプリケータ部材は、塗布面に対して垂直な長手方向の中央の面に対して対称であってよい。
【００３８】
好ましくは、歯は、それぞれの伸長軸に沿った細長い形状である。歯の伸長軸は、塗布面に対して垂直であり得る。一変形形態において、歯の伸長軸は塗布面に対して斜めである。
【００３９】
アプリケータ部材は、アプリケータ部材に関する長手方向の中央の面と共にある角度を形成するそれぞれの伸長軸と共に延在する少なくとも１列の歯を備える。
【００４０】
歯の伸長軸に対して垂直に測定された歯の断面寸法は、歯の長さの大部分にわたって略一定であってよい。
【００４１】
好ましくは、壁は、例えば塗布面に対して垂直に、それぞれの高さ軸に沿って塗布面から突出する。壁の高さ軸に対して垂直に測定された壁の断面は、壁の長さの大部分にわたって略一定であってよい。
【００４２】
壁の頂部は平坦であってよく、例えばそれぞれの高さ軸に対して垂直であり、または頂点を呈してもよい。
【００４３】
壁の頂部は、好ましくはアプリケータ部材の長手方向の中央の面内に含まれる湾曲軸の周りで湾曲されてもよい。
【００４４】
アプリケータは、１列のみの壁を備える場合もあり、壁の底部は例えば塗布面上の中心に置かれる、すなわちそれぞれの底部における壁の断面の重心は、略塗布面の中心線に沿って位置が決められる。
【００４５】
一変形形態において、その列における少なくとも１つの壁の連続する壁の断面の重心は、少なくとも一部が、幾何学的な分離面の対向する側部上に交互になるように配列されてよい。列の２つの連続する壁は、芯部をその長手方向軸に沿って見たとき重なり合う、または重なり合わない場合がある。
【００４６】
別の変形形態では、アプリケータは、２列の壁を備え、この２列の長手方向軸は好ましくは平行であり、例えば芯部の長手方向軸に対して共に平行である。壁の列は、アプリケータの頂部から見たとき芯部の長手方向軸に対して対称に配列されてよい。例えば壁は、幾何学的な分離面のそれぞれの側に据えられ、好ましくは平面である前記面に対して対称である。
【００４７】
壁は、それぞれの底部において直線を成し、頂部から観察したとき、芯部の長手方向軸に対して垂直に延在してよい。
【００４８】
好ましくは、塗布面の幅は、３から７ｍｍ、より適切には４から６ｍｍの範囲内にある。
【００４９】
頂部から観察したとき、塗布面は、芯部の長手方向軸に平行して延在する２つの平行な側縁部を有してよい。塗布面の遠位端は、略直線を成す縁部を有してよい。一変形形態において、塗布面の遠位端は湾曲される。
【００５０】
少なくとも１列の壁における２つの隣接する壁はそれぞれの底部において、０．１ｍｍから０．６ｍｍまで及ぶ、例えばおよそ０．４ｍｍの最小の距離だけ離間されてよい。
【００５１】
アプリケータは、直線を成すまたは湾曲されるそれぞれの軸に沿って延在する複数の列の歯を備える場合がある。
【００５２】
歯の列は同一方向に延在してよく、例えば塗布面の長さの少なくとも半分にわたって芯部の長手方向軸に平行に延在してよい。例えば歯の列は、例えばその遠位端の近傍を除いて塗布面の長さ全体にわたって芯部の長手方向軸に平行に延在する。
【００５３】
アプリケータは、芯部の長手方向軸に沿って延在する少なくとも２列の歯を備えてよく、例えば２列から１０列の歯、より適切には２列から６列、例えば３列または４列の歯を備える場合がある。各々の列の歯は、１個から２０個の歯を含む場合がある。
【００５４】
各々の歯の列において、歯は、塗布面の長さの大部分に沿って均一に離間されてよい。
【００５５】
あるいは、１列の２つの隣接する歯の間の間隔が変化する場合もある。例えば、その間に壁が存在する２つの隣接する歯の間の間隔は、その間に壁が存在しない状態の２つの隣接する歯の間の間隔と異なる。
【００５６】
アプリケータ部材の２つの端部の各々の近傍に据えられた２つの隣接する歯の間の間隔は、アプリケータ部材の中心部分に据えられた２つの隣接する歯の間の間隔と異なる場合がある。
【００５７】
１列の歯における全ての歯は、場合によってアプリケータ部材の遠位端および近位端の近傍に据えられた歯を除いて同一の高さを有してよい。
【００５８】
１列の歯における歯の高さは、別の列の歯の高さと異なる場合がある。
【００５９】
好ましくは、歯の自由端および壁の頂部は、アプリケータ部材の長さの少なくとも一部分に沿って、弓状の断面である包絡面を画定する。
【００６０】
アプリケータ部材は、歯の少なくとも１つの中央の列と、歯の２つの側部の列とを備える場合があり、歯の側部の列は、例えば少なくとも１つの中央の列のそれぞれの側に配置される。歯の少なくとも１つの中央の列は、頂部から観察したとき、塗布面の中心に置かれてよい。
【００６１】
場合によってアプリケータ部材の遠位端および近位端の近傍に据えられた歯を除いて、中央の列の歯は同一の第１の高さを有してよく、側部の列の歯は同一の第２の高さを有してよい。第１の高さは、好ましくは、第２の高さより大きい。
【００６２】
壁の頂部は、好ましくは、壁の高さ軸に沿って測定したとき歯の自由端の間、例えば中央の列の歯の自由端と側部の列の歯の自由端との間に据えられる。
【００６３】
好ましくは、例えば塗布面の側縁部および／またはその遠位端の近傍を除いて、歯はそれぞれの底部において接触することはなく、歯及び壁もそれぞれの底部において接触することはなく、すなわちそれぞれの底部において互いから離間されている。それぞれの底部において測定した歯と壁との間の最小の距離は、０から０．９ｍｍにまで及ぶ場合がある。
【００６４】
２つの歯の間の間隔、壁の間の距離および壁と歯の間の距離を適応させることによって、歯がまつげを適切に誘導し掴む能力を失うことなく、調合物を付着させるのに適したより大きなまたはより小さなサイズの空隙を確立することが可能になる。
【００６５】
歯の複数の列の少なくとも１つの歯は、少なくとも１列の壁にある２つの隣接する壁の間にある軸方向の位置に据えられてよい。アプリケータ部材は、アプリケータ部材の長手方向軸に沿って交互に並ぶ歯と壁とを備えてよい。
【００６６】
アプリケータ部材は、歯の２つの中央の列を備えてよく、この場合芯部の長手方向軸に沿って測定された略同一の軸方向の位置を占めるそれぞれの中央の列の歯が、歯の中央の対を形成する。歯の中央の対は、芯部の長手方向軸に沿って少なくとも１列の壁の壁と交互に並んでよい。少なくとも１列の壁の２つの連続する壁は、好ましくは、少なくとも１列の壁の長手方向軸に沿って観察したとき、芯部の長手方向軸のいずれかの側に交互に配置され、少なくとも部分的に互いに重なり合う。アプリケータは、好ましくは、壁が存在する軸方向の位置において、歯の側部の列の１つに属する１つの歯を備え、前記１つの歯および対応する壁は略同一の軸方向の位置を占める。
【００６７】
アプリケータ部材は、歯の複数のセットを備えてよく、各セットの歯は、好ましくは、アプリケータ部材の長手方向軸に沿って略同一の軸方向の位置を占めており、歯の複数のセットは、好ましくは、歯の２つのセットまたは歯の３つのセットである。
【００６８】
アプリケータ部材は、芯部の長手方向軸に沿って測定される、略同一の軸方向の位置を占めるそれぞれの側部の列の歯を少なくとも備える、歯の少なくとも１つの複数のセット、例えば歯の２つのセットまたは３つのセットを備える場合がある。
【００６９】
例えば歯の複数のセット、例えば３つのセットは、歯の少なくとも１つの中央の列と２つの側部の列のそれぞれの列の歯によって形成される。
【００７０】
歯の複数のセットは、例えば塗布面の遠位端の近傍を除いて、芯部の長手方向軸に平行な方向で測定された略同一の軸方向の位置を占めることができる。
【００７１】
例えば塗布面の遠位端が湾曲形状である場合、塗布面の遠位端の近傍における歯の３つのセットの歯は、塗布面の遠位端の湾曲形状と略一致する湾曲した線に沿って配置されてよい。
【００７２】
「１つの歯と、１つの壁、それぞれ２つの歯が芯部の長手方向軸に沿って測定される、略同一の軸方向の位置を占める」ことによって、アプリケータ部材の長手方向軸に対して垂直な方向でアプリケータ部材の側部から観察したとき、歯の底部および壁の底部、２つの歯のそれぞれの底部が少なくとも部分的に重なり合うことを理解されたい。これらの底部はちょうど重なり合うことができる。
【００７３】
歯の複数のセット、例えば３つのセットにおける２つの隣接する歯の間の距離は等しくてよい。
【００７４】
少なくとも１列の壁の壁は、芯部の長手方向軸に沿って上記に定義したように歯の複数のセットと交互に並ぶことができる。
【００７５】
一変形形態において、アプリケータ部材は歯の中央の列を備え、少なくとも１列の壁の壁は、芯部の長手方向軸に沿って略同一の軸方向の位置を占める歯の中央の列と２つの側部の列のそれぞれの列の歯によって形成された歯の３つのセットと交互に並ぶ。
【００７６】
少なくとも１列の壁の壁は、それぞれの底部において湾曲されてよく、その列にある２つの隣接する壁は、好ましくは、同一の曲率を有し、塗布面の遠位端に向かってそれぞれ凹面および凸面である。アプリケータは、中央の列の歯と、
−  互いに向かって凸面である２つの隣接する壁の間の軸方向の位置において、略同一の軸方向の位置を占める歯の中央の列および２つの側部の列の各々の列の歯によって形成される歯の３つのセットと、
−  互いに向かって凹面である２つの隣接する壁の間の軸方向の位置において、略同一の軸方向の位置を占めるそれぞれの側部の列の２つの歯によって形成される歯の２つのセットとを備える場合がある。
【００７７】
少なくとも１列の壁の壁は、芯部の長手方向軸に沿って観察したとき、歯の側部の列の間に据えられてよい。
【００７８】
別の変形形態において、アプリケータは、歯の中央の列のそれぞれの側に配置された２つの列の壁を備え、これらの壁はそれぞれの底部において直線を成しており、略同一の軸方向の位置を占める一方の列の壁および対応する他方の列の壁は、芯部の長手方向軸に沿って交互に収束し、逸れていく壁の対を形成し、この収束し、それぞれ逸れていく壁の対は、塗布面の遠位端に向かって収束し、それぞれ逸れており、壁の底部部分は、芯部の長手方向軸と共に、好ましくは１０度から８０度まで及ぶある角度を形成し、アプリケータは、
−  塗布面の遠位端に向かって移動する際、収束する壁の対と、それに続いて逸れていく壁の対との間の軸方向の位置における上記に定義される歯の３つのセットと、
−  塗布面の遠位端に向かって移動する際、逸れていく壁の対と、それに続いて収束する壁の対との間の軸方向の位置における歯の中央の列に属する１つの歯とを備える。
【００７９】
収束する壁の対およびこれに続いて逸れていく壁は、塗布面の遠位端に向かって移動する際、略Ｘパターンを形成してよい。
【００８０】
さらに別の変形形態では、アプリケータは、歯の中央の列と、歯の中央の列のそれぞれの側に配置された２列の壁とを備え、これらの壁はそれぞれの底部において直線を成し、この場合略同一の軸方向の位置を占める一方の列の壁と対応する他方の列の壁は、芯部の長手方向軸に沿って交互に収束し逸れていく壁の対を形成し、収束し、それぞれ逸れていく壁の対は、塗布面の遠位端に向かって収束し、それぞれ逸れており、壁の底部部分は、芯部の長手方向軸と共に、１０度から８０度まで及ぶある角度を形成し、アプリケータは、
−  塗布面の遠位端に向かって移動する際、収束する壁の対と、それに続いて逸れていく壁の対との間の軸方向の位置における、略同一の軸方向の位置を占める歯の中央の列と２つの側部の列のそれぞれの列の歯によって形成される歯の３つのセットと、
−  塗布面の遠位端に向かって移動する際、逸れていく壁の対と、それに続いて収束する壁の対との間の軸方向の位置における歯の中央の列に属する１つの歯と、
−  壁の列のそれぞれの側における歯の少なくとも２つの外側の列であって、これら歯の外側の列の歯が、塗布面に対して垂直な方向を有する非ゼロの伸長角を形成する伸長軸に沿って塗布面から突出する、歯の少なくとも２つの外側の列とを備える。
【００８１】
外側の列の歯の伸長角は、好ましくは２５度から３５度、例えばおよそ３０度である。
【００８２】
各々の歯の外側の列は、塗布面のそれぞれの長手方向の縁部に沿って延在してよく、これは例えばアプリケータ部材の長手方向軸に平行である。
【００８３】
好ましくは歯の中央の列および側部の列ならびに壁は、芯部の長手方向軸に沿って観察したとき、歯の外側の列の間に配列される。
【００８４】
歯の外側の列の歯は、側部の列の歯および壁の外側の長手方向の端部と略同一の軸方向の位置を占め得る。
【００８５】
「外側の長手方向の端部」とは、歯の中央の列からさらに離れて据えられた壁の２つの長手方向の端部の１つであると理解されたい。
【００８６】
歯の外側の列の歯は、それぞれの底部において側部の列の歯および壁に接触する場合がある。
【００８７】
少なくとも１つの歯は先細にされる、円錐台形状またはピラミッド形状であってよい。
【００８８】
この列の一方の少なくとも１つの歯は、別の列の歯と異なる形状を呈する場合もある。
【００８９】
アプリケータは、柄を備えてよく、アプリケータ部材は柄に固定されており、例えば柄に対してオーバーモールドされ、または機械的な取り付けによって柄に固定される。
【００９０】
芯部は、長手方向軸に沿って、詳細にはアプリケータ部材の長さの少なくともごく一部にわたって略一定の断面を提示してよい。
【００９１】
その長さの少なくともごく一部にわたって、芯部は、円形、非円形、半円、楕円形、半楕円形、多角形、三角形、正方形、矩形、五角形、六角形、八角形および半多角形から選択された形状の断面を呈することができる。断面の形状は、芯部の長手方向軸に沿って変化する場合がある。
【００９２】
芯部の断面は、アプリケータ部材の長さのごく一部にわたって平坦であってよい。断面の長手方向軸は、塗布面に平行であってよい。
【００９３】
別のその態様において、本発明は、まつげおよび／または眉毛に化粧品を塗布するための包装およびアプリケータ器具を提供し、この器具は、上記に定義したアプリケータと、まつげおよび／または眉毛に塗布するための化粧品を含む容器とを備える。
【００９４】
容器は、アプリケータ部材を拭き取るためのワイパー部材を備えてよい。
【００９５】
化粧品は、例えばマスカラである。メーキャップがまつげに施されることが可能であり、まつげをとかすことができる。
【００９６】
別の態様によると、本発明は、本発明によるアプリケータによってまつげおよび／もしくは眉毛をとかす、ならびに／または化粧品をまつげおよび／もしくは眉毛に塗布するための美容方法を提供する。
【００９７】
歯および壁は、同じ材料から作製されてもよく、または、一変形形態では、それらは異なる材料から作製されてもよい。
【００９８】
歯および／または壁は、熱可塑性材料を成形する、例えばそれを担持している芯部の一部に使用されるのと同一の材料を成形することによって作製され得る。歯および／または壁は、芯部と異なる材料で作製することができる。
【００９９】
アプリケータ部材は、１つの材料において成形されることが可能であり、したがって、芯部および柄は同一材料を利用して作製され、または、一変形形態では、異なる材料を利用して、特に、異なる色の材料を利用して作製され、これにより、ユーザによってそのように望まれる場合、塗布面を識別し易くすることができる。材料は、異なる硬さを呈してもよい。例えば、２つの材料は共に、例えば商標Ｈｙｔｒｅｌ（登録商標）に属するポリエステル熱可塑性エラストマー、または商標Ｐｅｂａｘ（登録商標）に属するポリエーテルブロックアミドであってよい。アプリケータが２つの材料を利用して作製される場合、これらの材料は、異なる、特に、硬さの点で異なる機械的な特性を呈してもよく、例えば、一方の材料は他方より柔軟であり、または材料が異なる色であってもよい。
【０１００】
本発明は、添付の図面を参照して、その実装の非制限的な例の以下の記載を読むことで、より良く理解されるであろう。
【図面の簡単な説明】
【０１０１】
【図１】本発明によるアプリケータ部材の斜視図である。
【図２】図１のアプリケータ部材の側面図である。
【図３】本発明による包装および塗布器具の一例を示す図である。
【図４Ａ】本発明によるアプリケータ部材の実施形態を概略的に示す上面図である。
【図４Ｂ】図４Ａのアプリケータ部材の拡大部分図である。
【図５Ａ】本発明によるアプリケータ部材の実施形態を概略的に示す上面図である。
【図５Ｂ】図５Ａのアプリケータ部材の拡大部分図である。
【図６Ａ】本発明によるアプリケータ部材の実施形態を概略的に示す上面図である。
【図６Ｂ】図６Ａのアプリケータ部材の拡大部分図である。
【図７Ａ】本発明によるアプリケータ部材の実施形態を概略的に示す上面図である。
【図７Ｂ】図７Ａのアプリケータ部材の拡大部分図である。
【図８】本発明によるアプリケータ部材のさらなる実施形態の上面部分図である。
【図９】矢印Ｘに沿った、図８のアプリケータ部材の側面図である。
【図１０】図８のアプリケータ部材の、図８の面ＸＩ−ＸＩに沿って切り取った断面図である。
【図１１】図８の矢印ＸＩＩに沿った、図８のアプリケータ部材の図である。
【図１２】図８のアプリケータ部材の斜視図である。
【発明を実施するための形態】
【０１０２】
図１は、本発明に従って作製されたアプリケータ１を示しており、アプリケータ１は、柄３にオーバーモールドされた、またはそれ以外の方法で固定されたアプリケータ部材８を備える。
【０１０３】
アプリケータ１は、図３に示されるように、まつげおよび／または眉毛に塗布するための化粧品を含む容器５の中に収容されるように構成される。
【０１０４】
アプリケータは、柄３の遠位端に接続されたハンドル４１を備える。アプリケータ１は、気密式に容器５を閉じるように構成される。
【０１０５】
アプリケータ部材８は、長手方向軸Ｘに沿った細長い芯部６を備え、この長手方向軸Ｘは、図示される実施形態では直線である。
【０１０６】
アプリケータ部材８は、塗布面１８を備え、これは図示される実施形態では、その長さＬの大半にわたって平面である。塗布面１８は、芯部の長手方向軸Ｘに平行な２つの側縁部９を備える。
【０１０７】
アプリケータ部材８は、歯２８の少なくとも１つの中央の列２８ｃと、歯２８の２つの側部の列２８ｓとを備える。歯２８の列２８ｃ、２８ｓは、芯部６の長手方向軸Ｘに平行な方向に延在する。
【０１０８】
アプリケータ部材は、壁２９の２つの列２９ａ、２９ｂを備える。これらの列２９ａおよび２９ｂは、図示される実施形態では直線を成し長手方向軸Ｘに平行である長手方向Ｙに沿って延在する。
【０１０９】
壁２９は、それぞれの底部１３によって塗布面１８に接続される。各々の壁２９の底部１３は、対応する主軸Ｚに沿って細長い断面を有する。この軸Ｚは、芯部６の長手方向軸Ｘと非ゼロの角度を形成する。
【０１１０】
図２に示されるように、壁２９は、それぞれの高さ軸Ｑに沿って塗布面１８から突出しており、各々の軸Ｑは、塗布面１８に対して局所的に垂直である。
【０１１１】
歯２８は各々、これによってそれらが塗布面１８に接続される底部１０から自由端１１までそれぞれの伸長軸Ｓに沿って延在する。同じ列の歯２８は、示されるように、塗布面１８の長さＬの大半にわたって同一の高さｈを有することができる。
【０１１２】
図４Ａから図７Ａによる実施形態では、塗布面１８は、その長さＬの大半にわたって平面である。
【０１１３】
図４Ａおよび図４Ｂによる実施形態では、アプリケータ部材８は、芯部６の長手方向軸Ｘに平行な長手方向軸Ｙに沿って延在する１列の壁２９を備える。
【０１１４】
２つの連続する壁２９の重心Ｃは、芯部６の長手方向軸Ｘの各々の側に配され、壁２９の２つのサブ列２９ａ、２９ｂを形成する。この列における２つの連続する壁は、芯部の長手方向軸Ｘに沿って観察したとき、好ましくは０．５から２ｍｍまで及ぶ、ある距離ｍだけ互いと部分的に重なり合う。
【０１１５】
図４Ａおよび図４Ｂに図示される実施形態は、示されるように各々が芯部６の長手方向軸Ｘに平行に延在し、好ましくは同じ数の歯２８を有する歯の２つの中央の列２８ａ、２８ｂを備える。芯部６の長手方向軸Ｘに沿って略同一の軸方向の位置を占める一方の列２８ａの歯２８と、他方の列２８ｂの対応する歯２８が、歯２８の中央の対２４を形成する。各々の列２８ａ、２８ｂにおける歯２８は、示されるように好ましくは均一に離間される。
【０１１６】
好ましくは、歯２８の各々の列２８ａ、２８ｂは、壁２９の対応するサブ列２９ａ、２９ｂに対して中心に配置される。
【０１１７】
壁２９は、芯部の長手方向軸Ｘに沿って歯２８の中央の対２４と交互に並ぶ。
【０１１８】
壁２９が存在する軸方向の位置において、アプリケータ部材８は、歯２８の側部の列２８ｓの一方に属する１つの歯２８を備える。前記歯２８およびその底部における前記壁２９の断面の重心Ｃは、芯部６の長手方向軸Ｘの対向する側に位置が決められる。
【０１１９】
好ましくは壁２９は、隣接する歯の中央の対から均等に離れており、壁と隣接する中央の対との間の距離ｌは、芯部６の長手方向軸Ｘに沿って一定である。
【０１２０】
壁２９の主軸Ｚは、図４Ａおよび図５Ａの実施形態に示されるように、頂部から観察したとき、直線を成し芯部６の長手方向軸Ｘに対して垂直に延在してよい。
【０１２１】
好ましくは、壁２９は、塗布面１８の長さＬの大半にわたって均一に離間される。２つの連続する壁２９の間の距離ｄは、０．１から１ｍｍまで及ぶ可能性がある。
【０１２２】
アプリケータ部材は、塗布面１８の遠位端８１の近傍に、それぞれの側部の列２８ｓの２つの歯と、側部の列の前記歯に対して中央に配置された１つの歯によって形成された歯の３つのセットを備える。前記３つのセットの歯は、図４Ａの示される実施形態において略同一の軸方向の位置を占める。
【０１２３】
図５Ａから図７Ａに示される実施形態では、アプリケータ部材は、歯の中央の列２８ｃと、歯２８の中央の列２８ｃのそれぞれの側に配列された歯２８の２つの側部の列２８ｓとを備える。
【０１２４】
歯２８は、示されるように塗布面１８の長さＬの大半にわたって歯２８の各々の列２８ｓ、２８ｃにおいて均一に離間されてよい。
【０１２５】
略同一の軸方向の位置を占める中央の列２８ｃの歯２８と、側部の列２８ｓの対応する歯によって各々形成される歯２８の３つのセット２７が芯部６の長手方向軸Ｘに沿って配置される。そのような歯２８の３つのセット２７における２つの隣接する歯２８の間の距離ｅは、示されるように好ましくは均等である。
【０１２６】
壁２９は、図５Ａおよび図５Ｂに示されるように、芯部の長手方向軸Ｘに沿って歯２８の３つのセット２７と交互に並べられてよい。好ましくは壁２９は、歯の隣接する３つのセットから均等に離れており、壁と隣接する３つのセットとの間の距離ｒは、塗布面１８の長さＬの大半に沿って一定のままである。
【０１２７】
好ましくは、歯２８の３つのセット２７は、芯部６の長手方向軸Ｘに沿って均等に離間される。
【０１２８】
図６Ａおよび図６Ｂに示される実施形態において、アプリケータ部材は、歯２８の中央の列２８ｃの各々の側に配置された壁２９の２つの列２９ａ、２９ｂを備える。
【０１２９】
各々の壁２９の主軸Ｚは、直線を成し、芯部６の長手方向軸Ｘに対して非ゼロの角度αで延在する。角度αは好ましくは４５度から８０度まで及ぶ。
【０１３０】
芯部６の長手方向軸Ｘに沿って、略同一の軸方向の位置を占める一方の列２９ａの壁２９および他方の列２９ｂの対応する壁２９は、交互に収束し逸れていく壁２９の対２５、２６を形成する。
【０１３１】
図６Ａおよび図６Ｂに見ることができるように、収束し各々逸れていく壁２９の対２５、２６は、塗布面１８の遠位端８１に向かって収束し、各々逸れている。
【０１３２】
歯２８の３つのセット２７は、塗布面１８の遠位端８１に向かって移動する際、収束する壁２９の対２５と、次に続いて逸れていく壁２９の対２６との間の軸方向の位置に配置される。
【０１３３】
逸れていく壁２９の対２６と、次に続いて収束する壁２９の対２５の間の軸方向の位置において、塗布面１８の遠位端８１に向かって進むとき、アプリケータ部材８は、歯２８の中央の列２８ｃに属する１つの歯２８を備える。
【０１３４】
好ましくは収束し、次に続いて逸れていく壁２９の対２５、２６は、塗布面１８に対して垂直な分離面に対して対称である。この分離面は、歯２８の中央の列２８ｃの歯を含むことができる。
【０１３５】
収束し次に続いて逸れていく壁２９の対２５、２６は、塗布面１８の遠位端８１に向かって移動する際、示されるように略Ｘのパターンを形成することができる。
【０１３６】
アプリケータ部材８は、図５Ａから図７Ａに見ることができるように、塗布面１８に対して垂直な長手方向の中央の面Ｍに対して対称であってよい。
【０１３７】
図７Ａおよび図７Ｂに示される実施形態において、各々の壁２９の主軸Ｚは湾曲される。
【０１３８】
この列における２つの連続する壁２９は、同一の曲率半径ｒを有し、塗布面１８の遠位端８１に向かってそれぞれ凹面と凸面である。
【０１３９】
アプリケータ部材８は、互いに向かって凸面である２つの隣接する壁２９の間の軸方向の位置に歯２８の３つのセット２７を備える。
【０１４０】
互いに対して凹面である２つの隣接する壁の間の軸方向の位置において、アプリケータ部材８は、略同一の軸方向の位置を占めるそれぞれの側部の列２８ｓの２つの歯２８によって形成される歯２８の２つのセット１７を備える。
【０１４１】
芯部の長手方向軸に沿って測定される互いに向かって凸面の２つの連続する壁２９の底部の間の距離ａは一定であってよい。
【０１４２】
芯部の長手方向軸に沿って測定される互いに向かって凹面の２つの連続する壁２９の底部の間の距離ｂは一定であってよい。
【０１４３】
壁２９のそれぞれの長手方向の端部４９の間の直線距離ｆは、好ましくは１から３ｍｍまでに及ぶ。
【０１４４】
図８から図１１に示される実施形態では、アプリケータ部材８は、歯２８の中央の列２８ｃのそれぞれの側に配置された壁２９の２つの列２９ａ、２９ｂを備える。
【０１４５】
各々の壁２９の主軸Ｚは、直線を成し非ゼロの角度αで延在し、この角度は例えば、図示される実施形態では芯部６の長手方向軸Ｘに対しておよそ７５度である。
【０１４６】
芯部６の長手方向軸Ｘに沿って、略同一の軸方向の位置を占める一方の列２９ａの壁２９と他方の列２９ｂの対応する壁２９は、交互に収束し逸れていく壁２９の対２５、２６を形成する。
【０１４７】
図６Ａの実施形態でのように、歯２８の３つのセット２７は、塗布面１８の遠位端８１に向かって移動する際、収束する壁２９の対２５と、次に続いて逸れていく壁２９の対２６との間の軸方向の位置に配置される。
【０１４８】
逸れていく壁２９の対２６と次に続いて収束する壁２９の対２５の間の軸方向の位置において、塗布面１８の遠位端８１に向かって移動する際、アプリケータ部材８は、歯２８の中央の列２８ｃに属する１つの歯２８を備える。
【０１４９】
３つのセット２７の歯２８は、塗布面１８の遠位端８１の近傍を除いて芯部６の長手方向軸Ｘに沿って略同一の軸方向の位置を占める。
【０１５０】
図８に示されるように塗布面１８の遠位端８１の近傍において、アプリケータ部材８は、塗布面１８の遠位端８１の湾曲部を実質的にたどる湾曲した線に沿って配置された２つの３つのセット２７を備える。一方の３つのセット２７の歯２８と他方の３つのセット２７の対応する歯２８は、それぞれの底部１０において接触している。
【０１５１】
アプリケータ部材はさらに、アプリケータ部材の側縁部９に沿って延在する歯２８の２つの外側の列２８ｅを備える。歯２８の側部の列２８ｓと壁２９は、外側の列２８ｅの間に配列される。外側の列２８ｅの歯２８は、側部の列２８ｓの歯２８および壁２９の外側の長手方向の端部４９と同じ軸方向の位置に据えられ、それぞれの底部１０、１３において壁の外側の長手方向の端部に接触している。
【０１５２】
図９に見ることができるように、塗布面１８は、その長さＬの大半にわたって平面であってよい。
【０１５３】
中央の列２８ｃおよび側部の列２８ｓの歯２８は、塗布面１８の遠位端８１の近傍にある端部の歯２８を除いて、塗布面１８に対して垂直なそれぞれの伸長軸Ｓに沿って細長い。
【０１５４】
塗布面１８の遠位端８１に最も近い３つのセット２７の端部の歯２８は、アプリケータ部材８の長手方向の中央の面Ｍと共に非ゼロの伸長角γを各々形成するそれぞれの伸長軸Ｓに沿って、塗布面１８の近位端から外向きに離れるように延出し、この場合中央の列に属する歯は中央の面Ｍ内に含まれ、側部の列の歯は中央の面Ｍから離れるように延出する。
【０１５５】
外側の列２８ｅの歯２８もまた図１１に示されるように、アプリケータ部材８の中央の面Ｍと共に非ゼロの伸長角βを各々形成するそれぞれの伸長軸Ｓに沿って塗布面１８から突出しており、図示される実施形態ではβはおよそ３０度であり、例えばγと等しい。外側の列２８ｅの歯２８は、アプリケータ部材８の長手方向の中央の面Ｍから離れるように延出する。
【０１５６】
各々の外側の列の歯の伸長軸Ｓは平行であってよい。好ましくは同一の軸方向の位置を占めるそれぞれの外側の列の歯の軸は、同一面内に含まれる。同一の軸方向の位置を占める３つのセット２７の歯の軸および側部の列２８ｓの歯の軸は、同一面内に含まれる。
【０１５７】
図１０に示されるように歯の高さｈおよび壁の頂部９２の湾曲した形状は、アプリケータ部材８の長手方向軸Ｘに平行な方向で見たとき、歯の３つのセットの自由端と、３つのセットと略に同一の軸方向の位置を占める外側の列の歯と、次に続いて逸れていく壁２９の対２６の頂部９２が同じ円弧Ｃ上に略据えられるように選択され得る。この円弧は５から７ｍｍの間、好ましくは５．５から６ｍｍまで及ぶ曲率半径Ｒを有する可能性がある。
【０１５８】
塗布面１８の幅Ｗは、５から７ｍｍまで及び、例えばおよそ６ｍｍの可能性がある。
【０１５９】
アプリケータ部材を柄３に固定するために、アプリケータ部材８は、図１１および図１２に見ることができるようなＴ字型の固定部品８４を備える場合があり、これはアプリケータの柄３の中の対応する溝８６に差し入れられるように構成される。部品８４は、アプリケータ部材８の全長Ｔより短い長さＵに略延在する。アプリケータ部材８の全長は、例えば図４Ａに示されるように、柄３に設けられた対応するくぼみ９２に係合するレール９１を備える。これにより、アプリケータ部材８と柄３が異なる色の材料で作製された場合、ユーザがアプリケータ部材８の向きを決めるのに役立つ場合がある。これはまた、アプリケータ部材を柄に固定するのを助けることもできる。
【０１６０】
本発明は、例示の実施形態に限定されるものではない。
【０１６１】
例えば壁および歯は、例示の実施形態とは異なるように配列される場合もある。
【０１６２】
壁および歯の寸法は修正される場合もある。
【０１６３】
歯の複数のセットは、３つを超える歯を備える、例えばそれぞれの側部の列に属する２つの歯と、少なくとも１つの中央の列に属する２つの歯とによって形成される４つの歯を備える場合もある。
【符号の説明】
【０１６４】
１  アプリケータ
３  柄
５  容器
６  芯部
８  アプリケータ部材
９  側縁部
１０  歯の底部
１１  歯の自由端
１３  壁の底部
１７  歯の２つのセット
１８  塗布面
２４  歯の中央の対
２５、２６  収束し逸れていく壁の対
２７  歯の３つのセット
２８  歯
２８ａ、２８ｂ  歯の２つの中央の列
２８ｃ  歯の中央の列
２８ｅ  歯の外側の列
２８ｓ  歯の側部の列
２９  壁
２９ａ、２９ｂ  壁の列
８１  塗布面の遠位端
８４  固定部品
８６  溝
９１  レール
９２  くぼみ
ａ  互いに対して凸面の２つの連続する壁の底部の間の距離
ｂ  互いに対して凹面の２つの連続する壁の底部の間の距離
ｄ  ２つの連続する壁の間の距離
ｅ  ３つのセットにおける隣接する歯の間の距離
ｆ  壁のそれぞれの長手方向の端部の間の直線距離
ｈ  歯の高さ
ｌ  壁と隣接する中央の対の間の距離
ｍ  壁が重なり合う距離
ｒ  壁と隣接する３つのセットの間の距離
Ｃ  壁の重心、円弧
Ｌ  塗布面の長さ
Ｍ  長手方向の中央の面
Ｑ  壁の高さ軸
Ｒ  曲率半径
Ｓ  伸長軸
Ｔ  アプリケータ部材の長さ
Ｕ  部品の延在する長さ
Ｗ  塗布面の幅
Ｘ  長手方向軸
Ｙ  長手方向
Ｚ  壁の主軸
α  壁の主軸の角度
β  伸長角
γ  伸長角
【外国語明細書】
2018191843000001.pdf